(57)【特許請求の範囲】
【請求項１】
音声ディジタルデータを所定の単位時間繰り返して送信する複数のオーディオチャンネルに対して素材を供給する複数のオーディオチャンネル素材供給手段と、
送信しているオーディオチャンネルに関連する音声情報画面を形成するためのディジタルデータを供給するデータ供給手段と、
所定の圧縮方式で圧縮されたダウンロード用の音声データを供給するダウンロード用オーディオデータ供給手段と、
上記複数のオーディオチャンネルによる上記送信を行うための音声ディジタルデータと、上記送信しているオーディオチャンネルに関連する音声情報画面を形成するためのディジタルデータと、ダウンロード用オーディオデータとを多重化する多重化手段と、
上記多重化されたデータを送信する送信手段と
からなる送信装置。
【請求項２】
音声ディジタルデータを所定の単位時間繰り返して送信する複数のオーディオチャンネルに対して素材を供給する複数のオーディオチャンネル素材供給のステップと、
送信しているオーディオチャンネルに関連する音声情報画面を形成するためのディジタルデータを供給するデータ供給のステップと、
所定の圧縮方式で圧縮されたダウンロード用の音声データを供給するダウンロード用オーディオデータ供給のステップと、
上記複数のオーディオチャンネル素材供給のステップにより供給された上記複数のオーディオチャンネルによる上記送信を行うための音声ディジタルデータと、上記データ供給のステップにより供給された上記送信しているオーディオチャンネルに関連する音声情報画面を形成するためのディジタルデータと、上記ダウンロード用オーディオデータ供給のステップにより供給されたダウンロード用オーディオデータとを多重化する多重化のステップと、
上記多重化されたデータを送信する送信のステップと
からなる送信方法。
【請求項３】
音声ディジタルデータを所定の単位時間繰り返して送信する複数のオーディオチャンネルに対して素材を供給する複数のオーディオチャンネル素材供給手段と、
送信しているオーディオチャンネルに関連する音声情報画面を形成するためのディジタルデータを供給するデータ供給手段と、
所定の圧縮方式で圧縮されたダウンロード用の音声データを供給するダウンロード用オーディオデータ供給手段と、
上記複数のオーディオチャンネルによる上記送信を行うための音声ディジタルデータと、上記送信しているオーディオチャンネルに関連する音声情報画面を形成するためのディジタルデータと、ダウンロード用オーディオデータとを多重化する多重化手段と
からなり、
上記複数のオーディオチャンネルでは、夫々、同一の音楽素材を所定時間帯の間の番組内で繰り返し送ると共に、該番組内で該同一の音楽素材に対応する上記ダウンロード用の音声データを送ることで、上記複数のオーディオチャンネルで送信する音楽素材と上記ダウンロード用の音声データとを対応させる
ようにした送信制御装置。
【請求項４】
音声ディジタルデータを所定の単位時間繰り返して送信する複数のオーディオチャンネルに対して素材を供給する複数のオーディオチャンネル素材供給のステップと、
送信しているオーディオチャンネルに関連する音声情報画面を形成するためのディジタルデータを供給するデータ供給のステップと、
所定の圧縮方式で圧縮されたダウンロード用の音声データを供給するダウンロード用オーディオデータ供給のステップと、
上記複数のオーディオチャンネル素材供給のステップにより供給された上記複数のオーディオチャンネルによる上記送信を行うための音声ディジタルデータと、上記データ供給のステップにより供給された上記送信しているオーディオチャンネルに関連する音声情報画面を形成するためのディジタルデータと、上記ダウンロード用オーディオデータ供給のステップにより供給されたダウンロード用オーディオデータとを多重化する多重化のステップと
からなり、
上記複数のオーディオチャンネルでは、夫々、同一の音楽素材を所定時間帯の間の番組内で繰り返し送ると共に、該番組内で該同一の音楽素材に対応する上記ダウンロード用の音声データを送ることで、上記複数のオーディオチャンネルで送信する音楽素材と上記ダウンロード用の音声データとを対応させる
ようにした送信制御方法。
【請求項５】
音声ディジタルデータを所定の単位時間繰り返して送信する複数のオーディオチャンネルによる送信を行うための音声ディジタルデータと、送信しているオーディオチャンネルに関連する音声情報画面を形成するためのディジタルデータと、所定の圧縮方式で圧縮されたダウンロード用の音声データとが多重化された信号を受信する受信手段と、
上記複数のオーディオチャンネルによる送信を行うための音声ディジタルデータと、上記送信しているオーディオチャンネルに関連する音声情報画面を形成するためのディジタルデータと、上記所定の圧縮方式で圧縮されたダウンロード用の音声データを夫々分割するデータ分離手段と、
上記音声ディジタルデータから音声を再生する音声再生手段と、
上記ダウンロード用の音声データをデコードするダウンロード用データデコード手段と、
上記送信しているオーディオチャンネルに関連する音声情報画面を形成するためのディジタルデータに基づいて、上記送信しているオーディオチャンネルに関連する音声情報を画面に表示させる表示手段と、
上記表示された画面に基づいて入力が与えられる入力手段と、
上記入力手段により、上記表示画面に基づいて音楽情報の指定入力が与えられると、上記音楽情報に対応する音楽番組を放送しているオーディオチャンネルに切り換えると共に、
上記入力手段により、上記表示画面に基づいて音声情報のダウンロードの指定入力が与えられると、上記音楽情報に対応するダウンロード用音声データが出力するように制御する制御手段と
を備えるようにした受信装置。
【請求項６】
音声ディジタルデータを所定の単位時間繰り返して送信する複数のオーディオチャンネルによる送信を行うための音声ディジタルデータと、送信しているオーディオチャンネルに関連する音声情報画面を形成するためのディジタルデータと、所定の圧縮方式で圧縮されたダウンロード用の音声データとが多重化された信号を受信する受信のステップと、
上記複数のオーディオチャンネルによる送信を行うための音声ディジタルデータと、上記送信しているオーディオチャンネルに関連する音声情報画面を形成するためのディジタルデータと、上記所定の圧縮方式で圧縮されたダウンロード用の音声データを夫々分割するデータ分離のステップと、
上記音声ディジタルデータから音声を再生する音声再生のステップと、
上記送信しているオーディオチャンネルに関連する音声情報画面を形成するためのディジタルデータに基づいて、上記送信しているオーディオチャンネルに関連する音声情報を画面に表示させる表示のステップと、
上記表示画面に基づいて音楽情報の指定入力が与えられると、上記音楽情報に対応する音楽番組を放送しているオーディオチャンネルに切り換えると共に、
上記表示画面に基づいて音声情報のダウンロードの指定入力が与えられると、上記音楽情報に対応するダウンロード用音声データを出力するように制御する制御のステップと
を備えるようにした受信方法。
【請求項７】
音声ディジタルデータを所定の単位時間繰り返して送信する複数のオーディオチャンネルによる送信を行うための音声ディジタルデータと、送信しているオーディオチャンネルに関連する音声情報画面を形成するためのディジタルデータと、所定の圧縮方式で圧縮されたダウンロード用の音声データとが多重化された信号を受信する受信手段と、
上記複数のオーディオチャンネルによる送信を行うための音声ディジタルデータと、上記送信しているオーディオチャンネルに関連する音声情報画面を形成するためのディジタルデータと、上記所定の圧縮方式で圧縮されたダウンロード用の音声データを夫々分割するデータ分離手段と、
上記音声ディジタルデータから音声を再生する音声再生手段と、
上記送信しているオーディオチャンネルに関連する音声情報画面を形成するためのディジタルデータに基づいて、上記送信しているオーディオチャンネルに関連する音声情報を画面に表示させる表示手段と、
上記表示された画面に基づいて入力が与えられる入力手段と、
上記入力手段により、上記表示画面に基づいて音楽情報の指定入力が与えられると、上記音楽情報に対応する音楽番組を放送しているオーディオチャンネルに切り換えると共に、
上記入力手段により、上記表示画面に基づいて音声情報のダウンロードの指定入力が与えられると、上記音楽情報に対応するダウンロード用音声データが出力するように制御する制御手段と、
上記出力されたダウンロード用音声データを蓄積する蓄積手段と
からなり、
上記入力手段により、上記表示画面に基づいて音楽情報の指定入力を与えると、上記音楽情報に対応する音楽番組を放送しているオーディオチャンネルに切り換えられて上記音楽素材を試聴でき、上記音声情報のダウンロードの指定入力が与えられると、上記音楽情報に対応する音声データが上記蓄積手段に蓄積されるようにした
ことを特徴とする情報蓄積装置。
【請求項８】
音声ディジタルデータを所定の単位時間繰り返して送信する複数のオーディオチャンネルによる送信を行うための音声ディジタルデータと、送信しているオーディオチャンネルに関連する音声情報画面を形成するためのディジタルデータと、所定の圧縮方式で圧縮されたダウンロード用の音声データとが多重化された信号を受信する受信のステップと、
上記複数のオーディオチャンネルによる送信を行うための音声ディジタルデータと、上記送信しているオーディオチャンネルに関連する音声情報画面を形成するためのディジタルデータと、上記所定の圧縮方式で圧縮されたダウンロード用の音声データを夫々分割するデータ分離のステップと、
上記音声ディジタルデータから音声を再生する音声再生のステップと、
上記送信しているオーディオチャンネルに関連する音声情報画面を形成するためのディジタルデータに基づいて、上記送信しているオーディオチャンネルに関連する音声情報を画面に表示させる表示のステップと、
上記表示画面に基づいて音楽情報の指定入力を与えると、上記音楽情報に対応する音楽番組を放送しているオーディオチャンネルに切り換えられて上記音楽素材を試聴でき、上記音声情報のダウンロードの指定入力が与えられると、上記音楽情報に対応する音声データが蓄積されるステップと
を有する
ことを特徴とする情報蓄積方法。
【請求項９】
テレビジョン放送及びオーディオ放送を行う送信局と、上記送信局からの信号を受信する受信局とからなる放送システムにおいて、
上記送信局は、
音楽ディジタルデータを所定の単位時間繰り返して送信する複数のオーディオチャンネルに対して素材を供給する複数のオーディオチャンネル素材供給手段と、
送信しているオーディオチャンネルに関連する音声情報画面を形成するためのディジタルデータを供給するデータ供給手段と、
所定の圧縮方式で圧縮されたダウンロード用の音声データを供給するダウンロード用オーディオデータ供給手段と、
上記複数のオーディオチャンネルによる上記送信を行うための音声ディジタルデータと、上記送信しているオーディオチャンネルに関連する音声情報画面を形成するためのディジタルデータと、ダウンロード用オーディオデータとを多重化する多重化手段と、
上記多重化されたデータを送信する送信手段と
を備えた送信装置を含み、
上記受信局は、
上記複数のオーディオチャンネルによる送信を行うための音声ディジタルデータと、上記送信しているオーディオチャンネルに関連する音声情報画面を形成するためのディジタルデータと、所定の圧縮方式で圧縮されたダウンロード用の音声データとが多重化された信号を受信する受信手段と、
上記複数のオーディオチャンネルによる送信を行うための音声ディジタルデータと、上記送信しているオーディオチャンネルに関連する音声情報画面を形成するためのディジタルデータと、上記所定の圧縮方式で圧縮されたダウンロード用の音声データを夫々分割するデータ分離手段と、
上記音声ディジタルデータから音声を再生する音声再生手段と、
上記ダウンロード用の音声データをデコードするダウンロード用データデコード手段と、
上記送信しているオーディオチャンネルに関連する音声情報画面を形成するためのディジタルデータに基づいて、上記送信しているオーディオチャンネルに関連する音声情報を画面に表示させる表示手段と、
上記表示された画面に基づいて入力が与えられる入力手段と、
上記入力手段により、上記表示画面に基づいて音楽情報の指定入力が与えられると、上記音楽情報に対応する音楽番組を放送しているオーディオチャンネルに切り換えると共に、
上記入力手段により、上記表示画面に基づいて音声情報のダウンロードの指定入力が与えられると、上記音楽情報に対応するダウンロード用音声データが出力するように制御する制御手段と
からなる受信装置と、
上記受信装置から出力されるダウンロード用オーディオデータを蓄積する情報蓄積装置と
を含むようにした放送システム。
【発明の詳細な説明】
【０００１】
【発明の属する技術分野】
この発明は、衛星放送により音楽放送を行う場合に用いて好適な送信装置及び方法、送信制御装置及び方法、受信装置及び方法、情報蓄積装置及び方法、並びに放送システムに関する。
【０００２】
【従来の技術】
ディジタル衛星放送の普及が進んでいる。ディジタル衛星放送は、既存のアナログ放送に比べて、ノイズやフェージングに強く、高品質の信号を伝送することが可能であると共に、周波数利用効率が向上され、多チャンネル化が図れる。例えば、ディジタル衛星放送では、１つの衛星で数１００チャンネルを確保することが可能である。このようなディジタル衛星放送では、スポーツ、映画、音楽、ニュース等の専門チャンネルが用意されており、これらの専門チャンネルでは、それぞれの専門のコンテンツのプログラムが終日放映されている。
【０００３】
これらの専門チャンネルの中で、音楽チャンネルは、人気のあるチャンネルの１つである。従来の音楽チャンネルでは、主に、プロモーション用のビデオを放映して、新曲紹介やヒット曲の番組が放映されている。
【０００４】
【発明が解決しようとする課題】
上述のように、従来、音楽チャンネルでは、新曲紹介やヒット曲の番組が動画と音声で送られている。視聴者は、このような音楽チャンネルを見ていて気に入った楽曲があると、紹介されている楽曲のＣＤ等を購入して、楽しみたいと考えことが良くある。また、その楽曲のミュージシャンの情報や、その楽曲の収められているアルバムの情報を知りたくなることが良くある。音楽番組を見ていて、その楽曲のミュージシャンの情報やその楽曲の収められているアルバムの情報を知りたくなったら、その場でその情報が得られ、また、気に入った楽曲があったら、その楽曲の音楽データをダウンロードできれば非常に便利である。ところが、従来の音楽チャンネルでは、音楽に関する動画と音声が一方的に送られるものであり、このような要請には応えられない。
【０００５】
したがって、この発明の目的は、放送されている音楽に関する情報を簡単に得ることができる送信装置及び方法、送信制御装置及び方法、受信装置及び方法、情報蓄積装置及び方法、並びに放送システムを提供することにある。
【０００６】
この発明の他の目的は、楽曲のデータを簡単に得ることができる送信装置及び方法、送信制御装置及び方法、受信装置及び方法、情報蓄積装置及び方法、並びに放送システムを提供することにある。
【０００７】
【課題を解決するための手段】
この発明は、オーディオ放送を行う送信局と、送信局からの信号を受信する受信局とからなる放送システム、並びに、これらの放送システムを構築するための送信装置及び方法、送信制御装置及び方法、受信装置及び方法、情報蓄積装置及び方法において、送信局は、音楽ディジタルデータを所定の単位時間繰り返して送信する複数のオーディオチャンネルに対して素材を供給する複数のオーディオチャンネル素材供給手段と、送信しているオーディオチャンネルに関連する音声情報画面を形成するためのディジタルデータを供給するデータ供給手段と、所定の圧縮方式で圧縮されたダウンロード用の音声データを供給するダウンロード用オーディオデータ供給手段と、複数のオーディオチャンネルによる送信を行うための音声ディジタルデータと、送信しているオーディオチャンネルに関連する音声情報画面を形成するためのディジタルデータと、ダウンロード用オーディオデータとを多重化する多重化手段と、多重化されたデータを送信する送信手段とを備えた送信装置を含み、受信局は、複数のオーディオチャンネルによる送信を行うための音声ディジタルデータと、送信しているオーディオチャンネルに関連する音声情報画面を形成するためのディジタルデータと、所定の圧縮方式で圧縮されたダウンロード用の音声データとが多重化された信号を受信する受信手段と、複数のオーディオチャンネルによる送信を行うための音声ディジタルデータと、送信しているオーディオチャンネルに関連する音声情報画面を形成するためのディジタルデータと、所定の圧縮方式で圧縮されたダウンロード用の音声データを夫々分割するデータ分離手段と、音声ディジタルデータから音声を再生する音声再生手段と、ダウンロード用の音声データをデコードするダウンロード用データデコード手段と、送信しているオーディオチャンネルに関連する音声情報画面を形成するためのディジタルデータに基づいて、送信しているオーディオチャンネルに関連する音声情報を画面に表示させる表示手段と、表示された画面に基づいて入力が与えられる入力手段と、入力手段により、表示画面に基づいて音楽情報の指定入力が与えられると、音楽情報に対応する音楽番組を放送しているオーディオチャンネルに切り換えると共に、入力手段により、表示画面に基づいて音声情報のダウンロードの指定入力が与えられると、音楽情報に対応するダウンロード用音声データが出力するように制御する制御手段とからなる受信装置と、受信装置から出力されるダウンロード用オーディオデータを蓄積する情報蓄積装置とを含むようにしたものである。
【０００８】
放送局からは、複数のオーディオ放送を行うための音声ディジタルデータと、送信しているオーディオ放送に関連する音声情報画面を形成するためのディジタルデータと、所定の圧縮方式で圧縮されたダウンロード用の音声データとが多重化された信号が送られてくる。受信側では、オーディオ放送に関連する音声情報画面を形成するためのディジタルデータに基づいて、送信しているオーディオ放送に関連する音声情報の画面が表示される。表示画面に基づいて音楽情報の指定入力が与えられると、音楽情報に対応する音楽番組を放送しているオーディオ放送に切り換えると共に、表示画面に基づいて音声情報のダウンロードの指定入力が与えられると、音楽情報に対応するダウンロード用音声データが出力される。このダウンロード用オーディオデータを情報蓄積装置に蓄積することで、所望の楽曲データをダウンロードできる。これにより、放送されている音楽に関する情報を簡単に得ることができると共に、所望の楽曲のデータを情報蓄積装置に簡単に蓄積することができる。
【０００９】
【発明の実施の形態】
この発明が適用されたシステムは、ディジタル衛星放送を使って音楽番組を放送すると共に、この音楽番組と関連するようなオーディオデータを配信することにより、視聴者が音楽番組を試聴していて気に入った楽曲があった場合に、その場でその楽曲を簡単に購入できるようにしたものである。
【００１０】
図１は、この発明が適用されたシステムの全体構成を示すものである。図１において、１は衛星放送システムの地上局である。地上局１には、オーディオチャンネル番組放送素材サーバ１２Ａ、１２Ｂ、…からのオーディオチャンネルの素材と、ダウンロード用オーディオデータ素材サーバ１３からのダウンロード用のデータと、ＧＵＩデータサーバ１４からのグラフィックユーザインターフェース用の画面を表示するためのデータが送られる。
【００１１】
オーディオチャンネル番組放送素材サーバ１２Ａ、１２Ｂ、…は、オーディオチャンネルを使って、オーディオ番組を提供するサーバである。このオーディオチャンネル番組放送の素材は音声のみである。各オーディオチャンネル番組放送では、夫々、同一の楽曲が所定の単位時間繰り返して放送され、この楽曲は、後に説明するダウンロード用の楽曲と関連している。各オーディオチャンネルは、夫々、独立しており、各オーディオチャンネルの利用方法は各種のものが考えられる。例えば、１つのオーディオチャンネルでは、最新の日本のポップスの中の推薦曲を所定時間繰り返して放送し、他のオーディオチャンネルでは、最新のアメリカンポップスの中の推薦曲を所定時間繰り返して放送し、更に他のオーディオチャンネルでは、ジャズの中から推薦曲を所定時間繰り返して放送するようにしても良い。また、同じアーチストの複数の楽曲を夫々のオーディオチャンネルに分けて繰り返して放送するようにしても良い。
【００１２】
ダウンロード用のオーディオデータ素材サーバ１３は、ダウンロード用の複数のオーディオデータを提供している。このダウンロード用のオーディオデータは、オーディオチャンネル番組放送で放送されている楽曲と関連している。すなわち、例えば、上述のように、１つのオーディオチャンネルでは、最新の日本のポップスの推薦曲が所定時間繰り返して放送され、他のオーディオチャンネルでは、最新のアメリカンポップスの中の推薦曲が所定時間繰り返して放送され、更に他のオーディオチャンネルでは、ジャズの中から推薦曲が所定時間繰り返して放送されているとする。この場合、オーディオチャンネルで取り上げられている最新の日本のポップスの推薦曲や、最新のアメリカンポップスの推薦曲や、ジャズの中の推薦曲のオーディオデータがダウンロード用のオーディオデータとして提供される。
【００１３】
なお、オーディオチャンネル番組で放送される楽曲は、紹介のための音楽放送であるから、楽曲紹介のナレーションが含まれていたり、コマーシャルが含まれていたりする場合がある。
【００１４】
これに対して、ダウンロード用のオーディオデータでは、楽曲紹介のナレーションやコマーシャルは極力避けられ、なるべく完全な状態でオーディオデータが送られる。また、ダウンロード用のオーディオデータは、オーディオチャンネル番組で送られる音声よりも、音質の向上が図られている。
【００１５】
ＧＵＩ（Graphic User Interface）データサーバ１４は、配信される楽曲のリストページや各楽曲の情報ページの画面を形成するためのデータや、ＥＰＧ（Electric Program Guide）用の画面を形成するためのデータ等を提供するものである。後に説明するように、ダウンロードできる楽曲のリストや、その曲についての情報は、画面上で表示を見ながら行うことができる。ＧＵＩデータサーバ１４からは、そのためのデータが送られる。
【００１６】
地上局１は、これら、オーディオチャンネル番組放送素材サーバ１２Ａ、１２Ｂ、…からのオーディオチャンネルの素材となるオーディオデータと、ダウンロード用オーディオデータ素材サーバ１３からのダウンロード用のデータと、ＧＵＩデータサーバ１４からのデータとを多重化して送信する。このとき、音楽番組放送のビデオデータは、例えば、ＭＰＥＧ２（Moving Picture Experts Groupe ）方式により圧縮され、各オーディオチャンネルのオーディオデータは例えばＭＰＥＧ２オーディオ方式により圧縮され、ダウンロード用のオーディオデータは例えばＡＴＲＡＣ（Adaptive Transform Acoustic Coding）２方式により圧縮される。また、ダウンロード用のオーディオデータに対しては、キー情報サーバ１５からのキー情報を用いて、暗号化が施される。
【００１７】
地上局１からの信号は、衛星２を介して、各家庭の受信設備３で受信される。衛星２には、複数のトランスポンダが搭載されている。１つのトランスポンダは、例えば、３０Ｍｂｐｓの伝送能力を有している。
【００１８】
各家庭の受信設備としては、パラボラアンテナ２１と、ＩＲＤ２２（Integrated Receiver Decoder ）と、ストレージデバイス２３と、テレビジョン受像機２４とが用意される。パラボラアンテナ２１で、衛星２を介して送られてきた信号が受信される。この受信信号がパラボラアンテナ１１に取り付けられたＬＮＢ（Low Noise Block Downconverter ）２５で所定の周波数に変換され、ＩＲＤ２２に供給される。
【００１９】
ＩＲＤ２２は、受信信号から所定のチャンネルの信号を選択し、ビデオ信号及びオーディオ信号の復調を行うものである。また、ＩＲＤ２２により、配信される楽曲のリストページや各楽曲の情報ページや、ＥＰＧ用の画面が形成される。ＩＲＤ２２の出力がテレビジョン受像機２４に供給される。
【００２０】
ストレージデバイス２３は、ダウンロードされたオーディオデータを保存するためのものである。例えば、ストレージデバイス２３としては、ＭＤレコーダ／プレーヤ、ＤＣＣレコーダ／プレーヤ、ＤＡＴレコーダ／プレーヤ、ＤＶＤレコーダ／プレーヤ等を用いることが考えられる。また、ストレージデバイス２３としてパーソナルコンピュータを使い、ハードディスドライブにオーディオデータを保存したり、ＣＤ−Ｒにオーディオデータを保存することが考えられる。
【００２１】
ＩＲＤ２２は、例えば電話回線４を介して課金サーバ５と結ばれている。ＩＲＤ２２には、各種情報が記録されるＩＣカードが挿入される。オーディオデータのダウンロードが行われると、その情報がＩＣカードに記録される。このＩＣカードの情報は、電話回線４を介して、課金サーバ５に送られる。課金サーバ５は、このダウンロード情報から適切な課金を行い、ユーザに請求する。このように、適切な課金を行うことにより、ダウンロードされる楽曲の著作権を守ることができる。
【００２２】
このように、この発明が適用されたシステムでは、地上局１は、オーディオチャンネル番組放送素材サーバ１２Ａ、１２Ｂ、…からのオーディオチャンネルの素材となるオーディオデータと、ダウンロード用オーディオデータ素材サーバ１３からのダウンロード用のデータと、ＧＵＩデータサーバ１４からのデータとを多重化して送信している。
【００２３】
各家庭の受信設備３でこの放送を受信すると、送られてきたＧＵＩデータサーバからのデータに基づいて、グラフィック画面が表示される。このグラフィック画面を見ながら必要な操作を行うと、各楽曲についての情報ページを見ることができ、また、各楽曲についての試聴を行うことができる。更に、グラフィック画面を見ながら必要な操作を行うことで、所望のオーディオデータをダウンロードして、ストレージデバイス２３に記録することができる。
【００２４】
つまり、各家庭の受信設備３でこの放送を受信すると、図２Ａに示すように、画面に、配信される楽曲のリストページ３０が表示される。このリストページ３０の表示画面中には、アーチスト名３３、３３、…や、ダウンロード可能な楽曲の曲名３４、３４、３４、…が表示され、各楽曲の選択ボタン３５、３５、３５、…が表示される。
【００２５】
視聴者は、このウィンドウ３１に表示されている曲名を見ながら、興味のある楽曲を探していく。各楽曲についての詳細な情報を見たい場合には、例えば、リモートコマンダの矢印キーを操作して、情報を得たい楽曲の選択ボタン３５を押す。
【００２６】
所望の楽曲の楽曲選択ボタン３５が押されると、図２Ｂに示すように、楽曲の情報ページ４０が表示される。この各楽曲の情報ページ４０には、その楽曲が収められているＣＤのジャケット等の静止画４２が表示される。このウィンドウ４１には、アーチスト名、曲目、作詞者、作曲者、歌詞、ライブ情報等の楽曲の詳細情報４３が表示されると共に、試聴ボタン４４、ダウンロードボタン４５、戻りボタン４６が表示される。
【００２７】
試聴ボタン４４は、この楽曲がどのような曲であるかを実際にオーディオデータを購入する前に試聴するためのボタンである。ダウンロードボタン４５は、その曲をダウンロードして、ストレージデバイス２３に記録させるためのボタンである。戻りボタン４６は、前のページの画面に戻るためのボタンである。
【００２８】
このように、配信される楽曲のリストページ３０及び各楽曲の情報ページ４０により、視聴者は、現在どのような楽曲が配信されているのかを知ることができ、各楽曲についての詳細な情報を知ることができる。
【００２９】
ここで、その楽曲を試聴したい場合には、視聴者は、矢印キーを操作して、試聴ボタン４４を押す。試聴ボタン４４が押されると、対応する楽曲が放送されているオーディオチャンネルに設定される。各オーディオチャンネルでは、所定の単位時間中、同一の楽曲が繰り返し放送されている。したがって、試聴ボタン４４が押されると、画面はそのままで、その楽曲のオーディオチャンネルに切り換えられ、その楽曲を聞くことができる。
【００３０】
その楽曲を購入したい場合には、視聴者は、ダウンロードボタン４５を押す。ダウンロード用のオーディオデータと、オーディオチャンネルで放送されている楽曲とは対応している。したがって、ダウンロードボタン４５が押されると、選択された楽曲のオーディオデータがダウンロードされ、ストレージデバイス２３に記録される。
【００３１】
また、リストページに戻りたい場合には、戻りボタン４６が押される。戻りボタン４６が押されると、図２Ａに示すリスト画面３０に戻される。
【００３２】
このように、この発明が適用されたシステムでは、画面上には楽曲のリストページ３０及び各楽曲の情報ページ４０が表示され、これら楽曲のリストページ３０及び各楽曲の情報ページ４０により各楽曲についての情報を知ることができる。そして、この画面上の表示に従って試聴ボタン４４が押されると、その楽曲を試聴することができ、ダウンロードボタン４５が押されると、その楽曲のオーディオデータをダウンロードして、ストレージデバイス２３に記録することができる。
【００３３】
図３は、以上のような操作で行われる処理をフローチャートで示したものである。図３に示すように、放送が受信されると、配信される楽曲のリストページ３０が表示される（ステップＳ１）。そして、楽曲選択ボタン３２が押されたか否かが判断される（ステップＳ２）。
【００３４】
ここで、楽曲選択ボタン３２が押されていなければ、ステップＳ１にリターンされる。楽曲選択ボタン３２が押されたら、選択された楽曲の情報ページ４０が表示される（ステップＳ３）。
【００３５】
選択された楽曲の情報ページ４０が表示されたら、戻りボタン４６が押されたか否かが判断される（ステップＳ４）。戻りボタン４６が押されたら、ステップＳ１にリターンされる。
【００３６】
戻りボタン４６が押されていなければ、試聴ボタン４４が押されたか否かが判断される（ステップＳ５）。試聴ボタン４４が押されると、そのとき選択された楽曲に対応したオーディオチャネルに設定される（ステップＳ６）。各オーディオチャンネルでは、所定の単位時間中、同一の楽曲が繰り返し放送されてている。したがって、試聴ボタン４４が押されると、選択された楽曲がループして聞けるようになる（ステップＳ７）。そして、ステップＳ４にリターンされる。
【００３７】
ステップＳ５で試聴ボタン４４が押されていなければ、ダウンロードボタン４５が押されたか否かが判断される（ステップＳ８）。ダウンロードボタン４５が押されていなければ、ステップＳ４にリターンされる。
【００３８】
ダウンロードボタン４５が押されたら、選択された楽曲のオーディオデータのダウンロードが開始される（ステップＳ９）。そして、ダウンロードが完了したら（ステップＳ１０）、ダウンロードしたオーディオデータに対する課金処理が行われ（ステップＳ１１）、ステップＳ４にリターンされる。
【００３９】
このように、この発明が適用されたシステムでは、複数のオーディオチャンネルを使って楽曲が送られ、その楽曲のダウンロード用のオーディオデータが送られる。そして、放送されてくる楽曲のリストページや、各楽曲の情報ページを使って、各楽曲の情報を探しながら、所望の楽曲のデータをストレージデバイスに簡単に保存することができる。以下、このようなシステムについて、更に詳述する。
【００４０】
図４は、この発明が適用されたシステムにおける地上局１の構成を示すものである。
【００４１】
図４において、オーディオチャンネル番組放送素材サーバ１２Ａ、１２Ｂ、…からのオーディオデータは、ＭＰＥＧ２オーディオエンコーダ５２Ａ、５２Ｂ、…に供給される。ダウンロード用オーディオデータ素材サーバ１３からのダウンロード用のオーディオデータは、ＡＴＲＡＣ２エンコーダ５３に供給される。ＧＵＩデータサーバ１４からのグラフィックユーザインターフェース用の画面を表示するためのデータがＧＵＩデータオーソリング回路５４に供給される。
【００４２】
ＭＰＥＧ２オーディオエンコーダ５２Ａ、５２Ｂ、５２Ｃ、…で、オーディオチャンネル番組放送素材サーバ１２Ａ、１２Ｂ、…からのオーディオデータがＭＰＥＧ２オーディオ方式に基づいて圧縮され、パケット化される。このオーディオパケットがマルチプレクサ５６に供給される。
【００４３】
ＡＴＲＡＣ２エンコーダ５２で、ダウンロード用オーディオデータ素材サーバ１３からのダウンロード用のオーディオデータがＡＴＲＡＣ２方式で圧縮され、パケット化される。このデータパケットは暗号化回路５７に送られる。暗号化回路５７により、このデータパケットが暗号化される。暗号化回路５７の出力がマルチプレクサ５６に供給される。このように、各オーディオデータを暗号化するのは、不正なダウンロードが行われて、著作権が侵害されるのを防ぐためである。また、このときの暗号解読のための情報が暗号化情報発生回路５８からマルチプレクサ５６に送られる。
【００４４】
ＧＵＩデータオーソリング回路５４で、ＧＵＩデータサーバ１４からのグラフィックユーザインターフェース用の画面のデータが処理され、パケット化される。このデータパケットがマルチプレクサ５６に供給される。
【００４５】
マルチプレクサ５５で、ＭＰＥＧ２オーディオエンコーダ５２Ａ、５２Ｂ、５２Ｃ、…からのオーディオパケットと、暗号化回路５７を介されたＡＴＲＡＣ２エンコーダ５３からのデータパケットと、ＧＵＩデータオーソリング回路５４からのデータパケットとが多重化される。
【００４６】
マルチプレクサ５６の出力がＱＰＳＫ変調回路５７に供給される。ＱＰＳＫ変調回路５７で、送信データがＱＰＳＫ変調される。ＱＰＳＫ変調回路５７の出力が高周波回路５８に供給される。高周波回路５８で、搬送波周波数が所定の周波数となるように周波数変換され、電力増幅が行われる。この高周波回路５８の出力がアンテナ５９から衛星２に向けて送信される。
【００４７】
このように、地上局１においては、オーディオチャンネルのオーディオデータがＭＰＥＧ２オーディオ方式で圧縮され、ダウンロード用のオーディオデータがＡＴＲＡＣ２方式で圧縮される。そして、これらビデオデータと、オーディオデータと、ダウンロード用のオーディオデータと、ＧＵＩ用データとが多重化されて、送信される。
【００４８】
図５は、地上局１から送信されるデータの一例を示すものである。図５に示すように、時刻Ｔ1 から時刻Ｔ2 の間が１つの番組（番組ＰＲＧ１）とされ、時刻Ｔ2 から時刻Ｔ3 の間が１つの番組（番組ＰＲＧ２）とされる。各番組ＰＲＧ１、ＰＲＧ２の時間は、３０分又は１時間を単位とするのが普通である。
【００４９】
オーディオチャンネルは、例えば、チャンルＣＨ１からＣＨ４０の４０チャンネル分用意される。このとき、各オーディオチャンネルＣＨ１、ＣＨ２、ＣＨ３、…では、１つのプログラムＰＲＧ１、ＰＲＧ２の間、同一の楽曲が繰り返して送信される。すなわち、時刻Ｔ1 から時刻Ｔ2 の番組ＰＲＧ１では、オーディオチャンネルＣＨ１では、楽曲Ｂ１が繰り返して送信され、オーディオチャンネルＣＨ２では楽曲Ｃ１が繰り返して送信され、オーディオチャンネルＣＨ３では楽曲Ｄ１が繰り返して送信される。時刻Ｔ2 から時刻Ｔ3 の番組ＰＲＧ２では、オーディオチャンネルＣＨ１では、楽曲Ｂ１１が繰り返して送信され、オーディオチャンネルＣＨ２では楽曲Ｃ１１が繰り返して送信され、オーディオチャンネルＣＨ３では楽曲Ｄ１１が繰り返して送信される。
【００５０】
ダウンロード用のオーディオデータは、例えば、２分を１単位として、この２分で４０曲分のデータが送られる。このダウンロード用のオーディオデータでは、オーディオチャンネルＣＨ１、ＣＨ２、ＣＨ３、…ＣＨ４０に対応するデータが送られる。
【００５１】
すなわち、時刻Ｔ1 から時刻Ｔ2 の番組ＰＲＧ１では、オーディオチャンネルＣＨ１、ＣＨ２、ＣＨ３、…、ＣＨ４０で送信されている４０曲分のオーディオデータ（楽曲Ｂ１、楽曲Ｃ１、楽曲Ｄ１、…）が例えば２分間で送られる。時刻Ｔ2 から時刻Ｔ3 の番組ＰＲＧ２では、オーディオチャンネルＣＨ１、ＣＨ２、ＣＨ３、…、ＣＨ１０で送信されている４０曲分のオーディオチャンネルデータ（楽曲Ｂ１１、楽曲Ｃ１１、楽曲Ｄ１１、…）が例えば２分間で送られる。
【００５２】
ダウンロード用のオーディオデータは、例えば、２分を単位として送られ、また、ダウンロード用のリストページや楽曲選択ページの画像を表示させるためのデータや、ＥＰＧ用のデータ等は、１０秒を単位として送られる。
【００５３】
図５に示すように、各番組ＰＲＧ１、ＰＲＧ２では、複数のオーディオチャンネルのデータと、ダウンロード用のオーディオデータと、ＧＵＩ用のデータとが多重化されて送られてくる。したがって、１つのオーディオチャンネルのビットレートをＢ1 、オーディオチャンネルのチャンネル数をｎ、ダウンロード用のオーディオデータのビットレートをＢ2 、ＧＵＩ用のデータのビットレートをＢ3 とすると、全体のビットレートＢA は、
ＢA ＝ｎ・Ｂ1 ＋Ｂ2 ＋Ｂ3 
となる。
【００５４】
オーディオチャンネルＣＨ１、ＣＨ２、ＣＨ３、…の１チャンネル当たりのビットレートＢ1 を、
Ｂ1 ＝２５６ｋｂｐｓ
とする。チャンネル数ｎを例えば４０チャンネルとすると、
ｎ・Ｂ1 ＝２５６ｋｂｐｓ×４０＝１０．２４Ｍｂｐｓ
である。
【００５５】
ＡＴＲＡＣ２により圧縮されたダウンロード用のオーディオデータは１２８ｋｂｐｓであるとする。そして、ダウンロード用のオーディオデータは、１曲当たりの時間を５分とし、４０曲分を２分で送るとする。この場合、ダウンロード用のオーディオデータのビットレートをＢ2 は、
Ｂ2 ＝１２８ｋｂｐｓ×４０曲×５分×６０秒／１２０秒＝１２．８Ｍｂｐｓ
となる。
【００５６】
ＣＧＩ用のデータとしては、１曲当たり２００ｋｂｙｔｅのデータを使用するとする。そして、４０曲分を１０秒間で送るものとする。この場合、ＣＧＩ用のデータのビットレートＢ3 は、
Ｂ3 ＝２００ｋｂｙｔｅ×４０曲×８ｂｉｔ／１０秒＝６．４Ｍｂｐｓ
となる。
【００５７】
したがって、全体のビットレートＢA は、
0003915204.tif 000002
となる。これは、衛星２の１トランスポンダが３０Ｍｂｐｓであることから、１トランスポンダの半分を使って送れるということになる。
【００５８】
次に、各家庭の受信設備３について説明する。図１に示したように、各家庭の受信設備としては、パラボラアンテナ２１と、ＩＲＤ２２と、ストレージデバイス２３と、テレビジョン受像機２４とが用意される。ストレージデバイス２３としては、例えば、ＭＤレコーダ／プレーヤ、ＤＣＣレコーダ／プレーヤ、ＤＡＴレコーダ／プレーヤ、ＤＶＤレコーダ／プレーヤ等、種々のものを用いることができる。
【００５９】
これらのストレージデバイス２３には、アナログオーディオ入力しか持たないものと、ＰＣＭオーディオデータが直接入力可能なものとがある。更に、例えば、ＡＴＲＡＣ２で圧縮されたオーディオデータを直接入力可能なものがある。
【００６０】
すなわち、図６Ａに示すように、ストレージデバイス２３として、ＭＤレコーダ／プレーヤ、ＤＡＴレコーダ／プレーヤ、ＤＣＣレコーダ／プレーヤ等で、光ケーブルでオーディオデータを送るＩＥＣ９５８等のディジタル入力端子ＤＩＮが備えているものが用いられているとする。このような機器がストレージデバイス２３として用いられた場合には、ＩＲＤ２２のディジタル出力端子ＤＯＵＴとストレージデバイス２３のディジタル入力端子ＤＩＮとの間が例えばＩＥＣ９５８の光ファイバＬ１で結ばれる。ダウンロードされたオーディオデータは、ＩＲＤ２２内でＡＴＲＡＣ２の伸長処理が行われ、ＩＲＤ２２からＰＣＭオーディオデータで出力される。そして、ＩＲＤ２２から、例えばＩＥＣ９５８の光ケーブルを介して、ストレージデバイス２３に送られる。
【００６１】
図６Ｂに示すように、ストレージデバイス２３として、ＭＤレコーダ／プレーヤ、ＤＡＴレコーダ／プレーヤ、ＤＣＣレコーダ／プレーヤ、コンパクトカセットレコーダ／プレーヤ等で、ディジタル入力端子を有していないものを用いたとする。このような機器がストレージデバイス２３として用いられた場合には、ＩＲＤ２２のアナログ出力端子ＡＯＵＴと、ストレージデバイス２３のアナログ入力端子ＡＩＮとかケーブルＬ２により接続される。ダウンロードされたオーディオデータは、ＩＲＤ２２でＡＴＲＡＣ２の伸長処理が行われ、更に、Ｄ／Ａ変換されて、アナログのオーディオ出力端子ＡＯＵＴから出力される。そして、ＩＲＤ２２から、ケーブルＬ２を介して、ストレージデバイス２３に送られる。
【００６２】
また、図６Ｃに示すように、ストレージデバイス２３として、ＡＴＲＡＣ２で圧縮されたデータを直接入力できるデータ端子ＡＴＲＡＣ＿ＩＮを有するものが用いられたとする。このような機器がストレージデバイス２３として用いられた場合には、ＩＲＤ２２のＡＴＲＡＣ２の出力端子ＡＴＲＡＣ＿ＯＵＴと、ストレージデバイス２３のＡＴＲＡＣ２の入力端子ＡＴＲＡＣ＿ＩＮとの間が例えばＩＥＣ９５８の光ファイバＬ３で結ばれる。この場合には、ダウンロードされたＡＴＲＡＣ２のオーディオデータがそのままＩＲＤ２２から出力される。そして、ＩＲＤ２２から、例えばＩＥＣ９５８の光ケーブルを介して、ストレージデバイス２３に送られる。
【００６３】
このように、ストレージデバイス２３として使用されの機器としては、ＰＣＭオーディオデータを入力するものと、アナログ入力のものと、ＡＴＲＡＣ２のデータを入力するのものの３系統のものが考えられる。更に、これらのストレージデバイス２３には、外部からの制御信号に基づいて動作状態を制御できる端子を有しているものがある。このような制御端子を有している場合には、ＩＲＤ２２とストレージデバイス２３との間で制御信号のやり取りを行い、ＩＲＤ２２からの制御信号により、ダウンロードされたオーディオデータをストレージデバイス２３に自動的に記録することが可能となる。
【００６４】
すなわち、図７Ａに示すように、ＭＤレコーダ／プレーヤ、ＤＡＴレコーダ／プレーヤ、ＤＣＣレコーダ／プレーヤ等のストレージデバイスにおいて、光ファイバでオーディオデータを送るＩＥＣ９５８等のディジタル入力端子ＤＩＮと、制御信号の入出力端子ＣＴＬ２とが備えられているとする。この場合には、ＩＲＤ２３のディジタル出力端子ＤＯＵＴとストレージデバイス２３のディジタル入力端子ＤＩＮとが光ケーブルＬ１で接続されると共に、ＩＲＤ２２の制御信号入出力端子ＣＴＬ１とストレージデバイス２３の制御信号入出力端子ＣＴＬ２とがケーブルＬ５により接続される。これにより、ＩＲＤ２２とストレージデバイス２３との間で、制御信号がやり取りされる。オーディオデータをダウンロードする際には、ＩＲＤ２２からの制御信号に基づいて、ストレージデバイス２３が記録状態に設定される。そして、ダウンロードされたオーディオデータは、ＩＲＤ２２でＡＴＲＡＣ２の伸長処理が行われ、ＩＲＤ２２からＰＣＭオーディオデータで出力され、このＰＣＭオーディオデータがケーブルＬ１を介して、ストレージデバイス２３に送られる。
【００６５】
図７Ｂに示すように、ＰＣＭ入力端子を有していないＭＤレコーダ／プレーヤ、ＤＡＴレコーダ／プレーヤ、ＤＣＣレコーダ／プレーヤ等で、制御信号の入出力端子ＣＴＬ２が備えられているものがある。この場合には、ＩＲＤ２３のアナログ出力端子ＡＯＵＴとストレージデバイス２３のアナログ入力端子ＡＩＮとがケーブルＬ２で接続されると共に、ＩＲＤ２２の制御信号入出力端子ＣＴＬ１とストレージデバイス２３の制御信号入出力端子ＣＴＬ２とがケーブルＬ５により接続される。これにより、ＩＲＤ２２とストレージデバイス２３との間で、制御信号がやり取りされる。オーディオデータをダウンロードする際には、ＩＲＤ２２からの制御信号に基づいて、ストレージデバイス２３が記録状態に設定される。そして、ダウンロードされたオーディオデータは、ＩＲＤ２２でＡＴＲＡＣ２の伸長処理が行われ、更にＤ／Ａ変換され、このアナログオーディオ信号がケーブルＬ２を介して、ストレージデバイス２３に送られる。
【００６６】
図７Ｃに示すように、ＡＴＲＡＣ２の入力端子ＡＴＲＡＣ＿ＩＮを有しているＭＤレコーダ／プレーヤ、ＤＡＴレコーダ／プレーヤ、ＤＣＣレコーダ／プレーヤ等で、制御信号の入出力端子ＣＴＬ２が備えられているものがある。この場合には、ＩＲＤ２３のＡＴＲＡＣ２の出力端子ＡＴＲＡＣ＿ＯＵＴと、ストレージデバイス２３のＡＴＲＡＣ２の入力端子ＡＴＲＡＣ＿ＩＮとが光ケーブルＬ３で接続されると共に、ＩＲＤ２２の制御信号入出力端子ＣＴＬ１とストレージデバイス２３の制御信号入出力端子ＣＴＬ２とがケーブルＬ５により接続される。これにより、ＩＲＤ２２とストレージデバイス２３との間で、制御信号がやり取りされる。オーディオデータをダウンロードする際には、ＩＲＤ２２からの制御信号に基づいて、ストレージデバイス２３が記録状態に設定される。そして、ダウンロードされたオーディオデータは、ＩＲＤ２２からＡＴＲＡＣ２のまま出力され、このＡＴＲＡＣ２のオーディオデータはケーブルＬ５を介して、ストレージデバイス２３に送られる。
【００６７】
更に、図７Ｄに示すように、ＭＤレコーダ／プレーヤ、ＤＡＴレコーダ／プレーヤ、ＤＣＣレコーダ／プレーヤ等においては、例えばＩＥＥ１３９４のようなディジタルインターフェースＤＩＦ２が備えられたものがある。このようなディジタルインターフェースＤＩＦ２が備えられている場合には、ＩＲＤ２２のディジタルインターフェースＤＩＦ１と、ストレージデバイス２３のディジタルインターフェースＤＩＦ２とがケーブルＬ６により接続される。このようなディジタルインターフェースＤＩＦ２が備えられている場合、このディジタルインターフェースを介して、ＩＲＤ２２とストレージデバイスとの間で通信を行いながら、ダウンロードされたオーディオデータをＩＲＤ２からストレージデバイス２３に送ることができる。
【００６８】
図８は、ＩＲＤ２２の構成の一例を示すものである。図８において、パラボラアンテナ２１で衛星２からのディジタル衛星放送が受信される。パラボラアンテナ２１の受信信号は、パラボラアンテナ２２に取り付けられたＬＮＢ２５に供給され、ＬＮＢ２５で受信信号が所定の周波数の信号にダウンコンバートされる。
【００６９】
ＬＮＢ２５の出力がチューナ回路７１に供給される。チューナ回路７１で、コントローラ７６からの設定信号に基づいて、受信信号の中から所定受信周波数の信号が選択される。
【００７０】
チューナ回路７１の出力がＱＰＳＫ復調回路７２に供給される。ＱＰＳＫ復調回路７２で、受信信号がＱＰＳＫ復調され、受信信号のビットストリームが復調される。ＱＰＳＫ復調回路７２の出力がエラー訂正回路７３に供給される。エラー訂正回路７３で、エラーが検出、訂正される。
【００７１】
エラー訂正回路７３の出力がデマルチプレクサ７４に供給される。デマルチプレクサ７４は、エラー訂正回路７３から出力されるビットストリーム信号を受け、これをデータバッファメモリ７５に一旦記憶させる。そして、これをパケット列の形にフレーミングし、パケット毎に所望のデータであるかどうかを判別し、データを振り分ける。
【００７２】
地上局１からは、通常の番組放送を行うためのビデオデータ及びオーディオデータと、複数のオーディオチャンネルのオーディオデータと、ダウンロード用のオーディオデータと、ＧＵＩ用のデータが送られてくる。ビデオデータはＭＰＥＧ２方式で圧縮されており、オーディオデータはＭＰＥＧ２オーディオ方式で圧縮されており、ダウンロード用のオーディオデータはＡＴＲＡＣ２方式で圧縮されている。
【００７３】
デマルチプレチサ７４は、受信されたパケットを、ビデオデータと、オーディオデータと、ダウンロード用のオーディオデータと、ＧＵＩ用のデータとに振り分ける。
【００７４】
デマルチプレクサ７４で振り分けられたビデオデータは、ＭＰＥＧ２ビデオデコーダ７８に供給される。ＭＰＥＧ２ビデオデコーダ７８は、入力されたデジタルビデオ信号をバッファメモリ７９に適宣記憶させ、ＭＰＥＧ２により圧縮されたビデオ信号をデコードするものである。ＭＰＥＧ２ビデオデコーダ７８により、コンポーネントビデオ信号がデコードされる。
【００７５】
ＭＰＥＧ２ビデオデコーダ７８の出力が例えばＮＴＳＣ方式のアナログビデオエンコーダ８０に供給される。アナログビデオエンコーダ８０で、コンポーネントビデオ信号から、例えばＮＴＳＣ方式のコンポジットビデオ信号が形成される。このビデオ信号が出力端子８１から出力される。
【００７６】
オーディオチャンネルのオーディオデータは、ＭＰＥＧ２オーディオデコーダ８２に供給される。ＭＰＥＧオーディオデコーダ８２は、入力されたデジタルオーディオ信号をバッファメモリ８３に適宣記憶させ、ディジタルオーディオ信号をデコードする。
【００７７】
ＭＰＥＧ２オーディオデコーダ８２の出力がＤ／Ａコンバータ８４に供給される。Ｄ／Ａコンバータ８４により、ディジタルオーディオ信号がアナログオーディオ信号に変換される。Ｄ／Ａコンバータ８４の出力が出力端子８５から出力される。
【００７８】
ダウンロード用のオーディオデータは、バッファメモリ８６に一旦蓄えられる。バッファメモリ８６の出力が暗号解読回路８７に供給される。前述したように、ダウンロード用のオーディオデータは暗号化されており、暗号解読に必要なキーは、ＩＣカード８８から発生される。
【００７９】
ゲート回路８９には、バッファメモリ８６からダウンロード完了情報が供給されると共に、デマルチプレクサ７４から、受信された暗号解読に必要な情報が供給される。
【００８０】
オーディオデータをダウンロードする際には、バッファメモリ８６にデータが蓄えられると、ゲート回路８９が開き、暗号解読に必要な情報がＩＣカード８８に供給される。これにより、ＩＣカード８８から暗号化回路８７にキーが渡される。暗号解読回路８７で、ＩＣカード８８からのキーに基づいて、暗号が解読される。また、このとき、ＩＣカード８８には、課金情報が記憶される。
【００８１】
暗号解読回路８７の出力がＡＴＲＡＣ２デコーダ９０に供給されると共に、スイッチ回路９１の端子９１Ｂに供給される。ＡＴＲＡＣ２デコーダ９０で、ＡＴＲＡＣ２のデコード処理が行われる。ＡＴＲＡＣ２デコーダ９０からは、ＰＣＭオーディオ信号が出力される。このＡＴＲＡＣ２デコーダ９０の出力がスイッチ回路９１の入力端子９１Ａに供給される。
【００８２】
スイッチ回路９１は、コントローラ７６により制御される。スイッチ回路９１が端子９１Ａ側に設定されるときには、スイッチ回路９１からは、ＰＣＭオーディオ信号が出力される。スイッチ回路９１が端子９１Ｂ側に設定されると、ＡＴＲＡＣ２方式で圧縮されたディジタルオーディオ信号がスイッチ回路９１から出力される。
【００８３】
スイッチ回路９１の出力がウォータマーク付加回路９２に供給される。ウォータマーク付加回路９２は、著作権を保護するために、オーディオデータに電子透かしを付加するものである。
【００８４】
ウォータマーク付加回路９２の出力は、ディジタル信号出力端子９３に供給されると共に、Ｄ／Ａコンバータ９４に供給される。Ｄ／Ａコンバータ９４でディジタルオーディオ信号がアナログオーディオ信号に変換される。このアナログオーディオ信号が出力端子９５から出力される。ディジタル信号出力端子９３からは、ディジタルオーディオ信号（ウォーターマークが付加されている）が出力される。
【００８５】
ＧＵＩ用のデータは、コントローラ７６に供給される。コントローラ７６で、これらのデータに基づいて、リストページの画面や各楽曲の情報ページの画面、或いはＥＰＧ用の画面が形成される。このようにして形成された画面は、バッファメモリ７９の所定のエリアに書き込まれる。これにより、画面上の指定のエリアに、放送されてくる楽曲のリストページや各楽曲の情報ページの画面、或いはＥＰＧ用の画面を写し出すことができる。
【００８６】
コントローラ７６は、全体の処理を行っている。また、コントローラ７６に対して、入力キー９８を介して入力が与えられる。また、コントローラ７６には、モデム９９が接続されている。課金に必要な情報は、ＩＣカード８８に記録される。このＩＣカード８８の情報は、モデム９９を用いて、電話回線４を介して、課金サーバ５（図１）に送られる。
【００８７】
また、制御信号入出力端子９７が設けられ、この制御信号入出力端子９７とコントローラ７６とが接続される。この制御端子９６を介して、ストレージデバイス２３とコントローラ７６との間で、制御信号のやり取りが行われる。
【００８８】
更に、例えば、ＩＥＥ１３９４のディジタルインターフェース９６が設けられる。このディジタルインタフェース９６には、ウォータマーク付加回路９２の出力が供給されると共に、このディジタルインターフェース９６を介して、コントローラ７６との間で、制御信号のやり取りを行うことができる。
【００８９】
このように、ＩＲＤ２２には、アナログのオーディオが出力される出力端子９５（図６における出力端子ＡＯＵＴに対応する）と、ＰＣＭオーディオデータ又はＡＴＲＡＣ２で圧縮されたオーディオデータが出力されるＩＥＣ９５８のようなデータ出力端子９３（図６における出力端子ＤＯＵＴ又はＡＴＲＡＣ＿ＯＵＴに対応する）と、ＩＥＥ１３９４のようなディジタルインターフェース９６（図７におけるディジタルインターフェースＤＩＦ１に対応する）と、制御信号入出力端子９７（図７における制御信号入出力端子ＣＴＬ１に対応する）とが備えられている。
【００９０】
ストレージデバイス２３がアナログオーディオ入力端子ＡＩＮのみの場合には、ＩＲＤ２２とストレージデバイス２３とを接続するのに、アナログオーディオ信号が出力端子９５が用いられる。
【００９１】
ストレージデバイス２３がＰＣＭデータのディジタル入力端子ＤＩＮを備えている場合には、ＩＲＤ２２とストレージデバイス２３とを接続するのに、データ出力端子９３が用いられる。このとき、スイッチ回路９１は、端子９１Ａ側に設定される。
【００９２】
ストレージデバイス２３がＡＴＲＡＣデータの入力端子ＡＴＲＡＣ＿ＩＮを備えている場合には、ＩＲＤ２２とストレージデバイス２３とを接続するのに、ディジタル信号出力端子９３が用いられる。このとき、スイッチ回路９１は、端子９１Ｂ側に設定される。
【００９３】
また、ストレージデバイス２３が制御信号の入出力端子ＣＴＬ２を有している場合には、ＩＲＤ２２の制御信号入出力端子９７と、ストレージデバイス２３が制御信号の入出力端子ＣＴＬ２との間で、データのやり取りが行われる。
【００９４】
更に、ストレージデバイス２３がＩＥＥ１３９４のようなディジタルインターフェースＤＩＦ２を備えているような場合には、ＩＲＤ２２のディジタルインターフェース９６と、ストレージデバイス２３のディジタルインターフェースＤＩＦ２とが接続され、ストレージデバイス２３が制御信号の入出力端子ＣＴＬ２との間で、オーディオデータのやり取りが行われる。
【００９５】
このように、ディジタル信号出力端子９３は、ＰＣＭデータを出力する場合と、ＡＴＲＡＣ２のオーディオデータを出力する場合とで共用されており、スイッチ回路９１でその出力が切り換えられるようになっている。
【００９６】
つまり、ストレージデバイス２３がＰＣＭデータのディジタル入力端子ＤＩＮの場合には、スイッチ回路９１が端子９１Ａ側に設定される。ストレージデバイス２３がＡＴＲＡＣ２のデータの場合には、スイッチ回路９１が端子９１Ｂ側に設定される。スイッチ回路９１が端子９１Ａ側に設定されているときには、ダウンロードされたＡＴＲＡＣ２のデータは、ＡＴＲＡＣ２デコーダ９０に送られ、デコードされる。このデコードされたデータがスイッチ回路９１、ウォータマーク付加回路９２を介して、データ出力端子９３から出力される。スイッチ回路９１が端子９１Ｂ側に設定されているときには、ダウンロードされたＡＴＲＡＣ２のデータは、スイッチ回路９１、ウォータマーク付加回路９２を介して、データ出力端子９３から出力される。
【００９７】
なお、上述の例ではダウンロード用のオーディオデータとして、ＡＴＡＲＣ２で圧縮されたものを用いるようにしているが、圧縮方式は、ＡＴＡＲＣ２に限定されるものではない。他の圧縮方式、例えば、ＡＴＲＡＣを用いるようにしても良い。
【００９８】
上述のように、この発明が適用されたシステムでは、通常の音楽放送の他に、複数のオーディオチャンネルを利用して、音声のみの音楽放送が行われ、更に、ダウンロード用のオーディオデータと、ＧＵＩ用のデータとが送られる。そして、オーディオチャンネルでは、所定の時間同一の曲が繰り返し送られている。これにより、視聴者は、自分の聞きたい楽曲を選択して、ストレージデバイスにダウンロードすることが可能になる。
【００９９】
【発明の効果】
この発明によれば、放送局からは、複数のオーディオ放送を行うための音声ディジタルデータと、送信しているオーディオ放送に関連する音声情報画面を形成するためのディジタルデータと、所定の圧縮方式で圧縮されたダウンロード用の音声データとが多重化された信号が送られてくる。受信側では、オーディオ放送に関連する音声情報画面を形成するためのディジタルデータに基づいて、送信しているオーディオ放送に関連する音声情報の画面が表示される。表示画面に基づいて音楽情報の指定入力が与えられると、音楽情報に対応する音楽番組を放送しているオーディオ放送に切り換えると共に、表示画面に基づいて音声情報のダウンロードの指定入力が与えられると、音楽情報に対応するダウンロード用音声データが出力される。このダウンロード用オーディオデータを情報蓄積装置に蓄積することで、所望の楽曲データをダウンロードできる。これにより、放送されている音楽に関する情報を簡単に得ることができると共に、所望の楽曲のデータを情報蓄積装置に簡単に蓄積することができる。
【図面の簡単な説明】
【図１】この発明が適用された放送システムの一例の全体構成を示すブロック図である。
【図２】この発明が適用された放送システム一例の表示画面の説明に用いる略線図である。
【図３】この発明が適用された放送システム一例の説明に用いるフローチャートである。
【図４】この発明が適用された放送システムの一例における地上局の構成を示すブロック図である。
【図５】この発明が適用された放送システムの一例の説明に用いるタイミング図である。
【図６】この発明が適用された放送システムの一例におけるＩＲＤとストレージデバイスとの接続の説明に用いるブロック図である。
【図７】この発明が適用された放送システムの一例におけるＩＲＤとストレージデバイスとの接続の説明に用いるブロック図である。
【図８】この発明が適用された放送システムの一例におけるＩＲＤの構成を示すブロック図である。
【符号の説明】
１・・・地上局、２・・・衛星、３・・・受信設備、１２Ａ、１２Ｂ、１２Ｃ・・・オーディオチャンネル素材番組サーバ、１３・・・ダウンロード用オーディオデータ素材サーバ、１４・・・ＧＵＩデータサーバ、２２・・・ＩＲＤ、２３・・・ストレージデバイス
【図１】
0003915204.tif 000003
【図２】
0003915204.tif 000004
【図３】
0003915204.tif 000005
【図４】
0003915204.tif 000006
【図５】
0003915204.tif 000007
【図６】
0003915204.tif 000008
【図７】
0003915204.tif 000009
【図８】
0003915204.tif 000010